【手続補正書】
【提出日】平成24年3月23日(2012.3.23)
【手続補正１】
【補正対象書類名】特許請求の範囲
【補正対象項目名】全文
【補正方法】変更
【補正の内容】
【特許請求の範囲】
【請求項１】
伝送するポインティングデバイスの場所を判定するのに一組のセンサを使用する電子転記装置にアップグレードするために構成される装置であって、
電子構成要素を含む内蔵構成要素を含む事前組み立て済み部品であって、表面または表面のためのフレームが関連付けられている事前組み立て済み部品を備えており、
前記事前組み立て済み部品は、ユーザが前記事前組み立て済み部品をアップグレードすることによって、前記事前組み立て済み部品を、少なくとも１つの転記機能を有する電子転記装置として構成させるように構成されており、前記アップグレードは、ユーザが少なくとも１つの外部モジュールを追加することを含み、１つ以上の特定の外部モジュールの前記追加は、前記事前組み立て済み部品を、少なくとも１つのエネルギー伝送器を含むポインティングデバイスがエネルギーを伝送したときに、前記伝送エネルギーが、前記事前組み立て済み部品または前記少なくとも一つの外部モジュールに含まれる複数のセンサによって感知される機能を含む、少なくとも特定の一組の転記機能を有する電子転記装置として構成させ、前記感知エネルギーは、前記表面上または表面近くにある前記ポインティングデバイスの位置を判定するのに使用され、
前記内蔵構成要素は、１つ以上の識別可能な特徴を含み、前記事前組み立て済み部品を前記少なくとも一つの外部モジュールに接続することによって、前記識別可能な特徴の１つ以上からなる特定の一組が自動的に識別され、それにより、前記外部モジュールに接続されたときに、識別された１つ以上の識別可能な特徴により、機能の複数の可能な組のうちから、結果として生じる前記転記装置の前記機能のうちの１つ以上からなる特定の組が自動的に定義される、
装置。
【請求項２】
前記センサは、予め定義された位置に事前組み立てされる少なくとも２つの音響センサと、１つの電磁気エネルギーセンサと、を含む、請求項１に記載の装置。
【請求項３】
前記内蔵構成要素は、１つ以上の識別可能な特徴を有し、複数の外部モジュールのそれぞれの複数の適合コネクタのうちのいずれかに適合するように構成される、コネクタを含み、それによって、前記１つ以上の識別可能な特徴を有する前記コネクタに接続される特定の適合コネクタが、機能の前記複数の可能な組のうちから、１つ以上の機能からなる前記特定の組を自動的に定義させる、請求項１または２に記載の装置。
【請求項４】
前記内蔵構成要素は、前記結果として生じる転記装置の機能の前記複数の可能な組のうちの１つ以上の組を定義するように構成される識別可能な無線接続を使用する、外部モジュールへの無線接続のための構成要素を含み、無線接続の結果として１つ以上の機能からなる前記特定の組が自動的に定義される、請求項１または２に記載の装置。
【請求項５】
前記内蔵構成要素は、ＲＦＩＤを使用する前記外部モジュールへの識別可能な接続を提供するように、ＲＦＩＤ構成要素を含む、請求項４に記載の装置。
【請求項６】
前記識別可能な特徴を識別することは、複数の可能なデータ暗号化方式および／またはキーのうちのデータ暗号化および／または固有のキーを使用し、特定のデータ暗号化方式および／または特定の固有のキーが、前記事前組み立て済み部品を外部モジュールに適合させて、機能の前記複数の可能な組のうちから、結果として生じる前記転記装置の１つ以上の機能からなる前記特定の組を自動的に定義させる、請求項１または２に記載の装置。
【請求項７】
前記事前組み立て済み部品は、プロジェクタを含み、前記関連付けられた表面は、前記プロジェクタがその上に画像を表示するように構成される表面である、請求項１または２に記載の装置。
【請求項８】
前記プロジェクタが内蔵された前記複数のセンサを含み、前記内蔵されたセンサは、前記電子構成要素のうちの少なくともいくつかに結合される、請求項７に記載の装置。
【請求項９】
各外部モジュールが前記複数のセンサを含む、請求項７に記載の装置。
【請求項１０】
他のデバイスまたは周辺機器の前記装置への接続を有効にするように、前記表面の近くに接続ポートを伴う双方向性接続ハブをさらに備える、請求項７に記載の装置。
【請求項１１】
前記事前組み立て済み部品が内蔵された前記複数のセンサを含み、前記内蔵されたセンサは、前記電子構成要素のうちの少なくともいくつかに結合され、
前記内蔵構成要素は、前記センサの出力をデジタルデータに変換し、前記外部モジュールが前記事前組み立て済み部品に接続されたときに、前記データを処理のために前記外部モジュールに送信するように構成されるアナログ−デジタル変換デバイスを含む、請求項１または２に記載の装置。
【請求項１２】
前記事前組み立て済み部品は、前記表面または前記表面のためのフレームを有する事前組み立て済み板を含み、
前記音響センサは、前記表面上の音響集束要素と協働するように構成される、超音波変換器を含み、前記超音波変換器は、回路アセンブリ上に予め取り付けられ、前記板は、前記回路アセンブリが前記板またはフレーム内に事前組み立てされたときに、前記変換器がそれを通って前記板またはフレームの前面までまたはそれを越えるよう延在するように突き出る、開口部を含み、
各音響集束要素は、伝送するポインティングデバイスから放射される超音波が、前記それぞれの開口部内の前記それぞれの超音波変換器に導かれるように、それぞれ形成された表面を有する、請求項１または２に記載の装置。
【請求項１３】
前記事前組み立て済み部品は、前記表面または前記表面のためのフレームを有する事前組み立て済み板を含み、
前記音響センサは、前記板の前面または前面の近くに配置される音響変換器を含み、各音響変換器は、前記変換器が前記前面または前面の近くにそのように配置したときに、集束要素が不要となるように構成される、請求項１または２に記載の装置。
【請求項１４】
前記音響センサは、前記電子転記の使用が所望されるときには、前記変換器が前面１４から突出し、前記電子転記装置の使用が所望されないときには引き込められ得るように、ばね式である、請求項１３に記載の装置。
【請求項１５】
前記内蔵構成要素は、外部モジュールと組み合わせたとき、前記電子転記装置をアクティブ化するまたは有効にするようアクティブ化方法またはデバイスが使用されるまでは、動作しない、請求項１または２に記載の装置。
【請求項１６】
前記内蔵構成要素は、環境情報を検出するための１つ以上のセンサを含む、請求項１または２に記載の装置。
【請求項１７】
前記内蔵構成要素は、温度センサを含み、前記装置は、電子転記装置として構成されるようにアップグレードされたときに、前記温度センサから得られる温度指示を使用して、較正方法を実行させるように構成される、請求項１または２に記載の装置。
【請求項１８】
前記外部モジュールは、前記電子転記装置に使用される無線周辺機器のための充電器を含む、請求項１または２に記載の装置。
【請求項１９】
前記外部モジュールは、ユーザにユーザインタフェース機能を提供するように、ディスプレイおよび／または１つ以上の対話要素を含む、請求項１または２に記載の装置。
【請求項２０】
前記外部モジュールは、限られた期間および／または限定された機能のうちの１つ以上に対して動作するように、プログラムされ構成されることができる、請求項１または２に記載の装置。
【請求項２１】
前記外部モジュールは、前記事前組み立て済み部品と前記外部モジュールとの組み合わせの動作モードを定義する、請求項１または２に記載の装置。
【請求項２２】
前記動作モードは、投影装置、転記装置、または投影および転記装置の混合体としてのものである、請求項２８に記載の装置。
【請求項２３】
前記事前組み立て済み部品は、前記表面または前記表面のためのフレームを有する事前組み立て済み板を含み、
前記板またはフレームと、接続される外部モジュールとの組み合わせは、転記と投影との混合モードで機能することができ、転記面と投影面との間の前記板の分割は、その場所を示す情報を前記外部モジュールに提供するように構成される機械的な分割部によって画定される、請求項１または２に記載の装置。
【請求項２４】
前記事前組み立て済み部品は、前記表面または前記表面のためのフレームを有する事前組み立て済み板を含み、
前記内蔵構成要素は、前記板またはフレームがアップグレードされるときに、前記転記装置が、前記板またはフレームが垂直なのか水平なのかの指示を提供されるように、前記転記装置の方向のためのセンサを含む、請求項１または２に記載の装置。
【請求項２５】
前記事前組み立て済み部品は、前記表面または前記表面のためのフレームを有する事前組み立て済み板を含み、
前記内蔵構成要素は、単一組のセンサによってカバーできる領域よりも広い領域をカバーできる複数組のセンサを含み、前記板の作動サイズは、それに接続される外部モジュールのタイプによって定まる、請求項１または２に記載の装置。
【手続補正２】
【補正対象書類名】明細書
【補正対象項目名】００１６
【補正方法】変更
【補正の内容】
【００１６】
本願明細書では、電気転記装置（electronic  transcription  apparatus）として使用するために容易に変換される関連表面を有する先組み部品〔事前組み立て済み部品（pre-assembled  part）〕を含む装置と、先組み部品を、少なくとも１つのエネルギー伝送器〔送信器（transmitter）〕を含むポインティングデバイスがエネルギーを伝送した時に、伝送エネルギーが複数の内蔵センサによって感知される機能を含む、少なくとも１つの転記機能を有する電子転記装置として構成させ、感知エネルギーは、表面上または表面近くにあるポインティングデバイスの位置を判定するのに使用される、関連表面を有する先組み部品をアップグレードする方法を説明する。判定される場所は、表面または表面近くにある時のポインティングデバイスのものであるのが一般的だが、必ずしもそうであるとは限らない。
【手続補正３】
【補正対象書類名】明細書
【補正対象項目名】００２２
【補正方法】変更
【補正の内容】
【００２２】
図１を参照すると、筆記面、または投影面、あるいはフラットパネルディスプレイの表面であってもよい表面１４を含む、板〔ボード〕１０を含む、本発明の例示的な一実施形態が示されている。一例には、一般にオフィス環境に見られるタイプの白板〔ホワイトボード〕が挙げられる。開口部１２内に示される複数の音響センサ１８、例えば超音波変換器〔超音波トランスデューサ〕１８は、構成要素１７とともに先組みされ、図１において点線の形態で示されている。赤外線などの電磁エネルギーの検出器１３も先組みされる。このような構成要素１７は、一実施形態において、センサ１８に連結される回路基板２０上の電子構成要素を含む。含まれている先組み電子構成要素２０は、一実施形態において、センサからの感知信号をデジタル形態に変換するためのアナログ−デジタル変換器に連結されるアナログ増幅器を含む。構成要素１７内には、ケーブル１９およびコネクタ２６も含まれる。別の実施形態において、電子部品は、アナログ構成要素、ケーブル、およびコネクタだけしか含まない。このように、構成要素１７は、伝送スタイラス２８から伝送された信号を検出するのに必要な、検出センサのアナログおよびデジタル要素と、ケーブルとを含むが、これに限定されるものではない。図１には、一対の音響センサ、例えば超音波センサが、板の１つのコーナ部に示されているが、このようなセンサは、他の実施形態において、所望の検出およびセンサの配置が提供できるよう、板の周辺の他の場所に配置することができる。センサ、例えば何対かの超音波センサの数は、例えば板のサイズに基づいて、先組み板によって異なる。一実施形態は、電磁エネルギーセンサ１３、例えば赤外線センサ１３も含む。